(57)【要約】      （修正有）【課題】メルトブローン繊維層に供給される超吸収性ポリマ材料粒子の濃度を制御する。【解決手段】おむつなどの吸収性物品用の吸収性パッドの複合ウェブを形成するための装置であって、熱可塑性材料を押し出すための押出手段３と、超吸収性ポリマ材料１０を供給するための供給手段９とを備え、吸引形成面７は、押出手段の１つ以上の供給口４から排出された超吸収性ポリマ材料のフィラメント５を受け入れ、および供給手段から出てくる超吸収性ポリマ材料を受け入れ、超吸収性ポリマ材料を含む複合メルトブローンウェブを作成するように構成され、供給手段は、超吸収性ポリマ材料を供給するための少なくとも１つの出口１１であって、複合ウェブ８中の超吸収性ポリマ材料の濃度を変えるように、押出手段の供給口に対して少なくとも第１距離ｄ１から第２距離に、またはその逆に移動可能に構成される出口を有する。【選択図】図１
2020151468.tif 000002
【特許請求の範囲】
【請求項１】
例えばおむつなどの吸収性物品用の吸収性パッドの複合ウェブを形成するための装置であって、
熱可塑性材料を押し出すための押出手段（３）であって、各々が熱可塑性材料のフィラメント（５）を供給するための供給口（４）を有する１つ以上のチャネルを備える押出手段（３）と、
超吸収性ポリマ材料（１０）を供給するための供給手段（９）であって、前記超吸収性ポリマ材料（１０）を前記押出手段（３）から出てくる熱可塑性材料の前記フィラメント（５）の流れに供給するための少なくとも１つの出口（１１）を有する供給手段（９）と、
前記押出手段（３）から出て且つ前記超吸収性ポリマ材料（１０）を含む熱可塑性材料の前記フィラメント（５）を受け入れ、メルトブローン熱可塑性繊維および超吸収性ポリマ材料（１０）を含む複合メルトブローンウェブ（８）を作成するように構成された吸引形成面（７）と、を備え、
前記供給手段（９）の前記出口（１１）は、前記複合ウェブ（８）中の前記超吸収性ポリマ材料（１０）の濃度を変えるように、前記押出手段（３）の前記供給口（４）に対して少なくとも第１距離（ｄ１）から第２距離（ｄ２）に、またはその逆に移動可能に構成される、装置。
【請求項２】
前記吸引形成面（７）が、吸引ローラ（１２）の軸（１２ａ）の周りを回転する吸引ローラ（１２）の周面である、独立請求項１に記載の装置。
【請求項３】
不織布の、好ましくはスパンボンドの第１の連続ウェブ（１４）を供給するための第１の供給ユニット（１３）を備え、前記第１の供給ユニット（１３）は、前記複合ウェブ（８）の供給方向において前記形成面（７）の上流に配置され、これにより、前記メルトブローン複合ウェブ（８）は前記第１の連続ウェブ（１４）上に作られる、請求項１または２に記載の装置。
【請求項４】
不織布の、好ましくはスパンボンドの第２の連続ウェブ（１６）を供給するための第２の供給ユニット（１５）を備え、前記第２の供給ユニット（１５）は、前記複合ウェブ（８）の供給方向において前記形成面（８）の下流に配置され、これにより、前記第２の連続ウェブ（１６）は、前記複合ウェブ（８）上に配置される、請求項１から３のいずれか１項に記載の装置。
【請求項５】
湿潤物質（１８）を供給するための供給手段（１７）であって、前記第２の連続ウェブ（１６）の供給方向において前記第２の供給ユニット（１５）の下流に配置される供給手段（１７）を備える、請求項１から４のいずれか１項に記載の装置。
【請求項６】
湿潤物質（１８）を供給するための供給手段（１７）であって、前記押出手段（３）に供給するように構成された供給手段（１７）を備える、請求項１から５のいずれか１項に記載の装置。
【請求項７】
前記超吸収性ポリマ材料（１０）が前記押出手段（３）から出てくる熱可塑性材料の前記フィラメント（５）の流れに圧力下で供給されるように、前記供給手段（９）に接続された加圧流体源（２０）を備える、請求項１から６のいずれか１項に記載の装置。
【請求項８】
請求項１から７のいずれか１項に記載の装置を使用して、例えばおむつなどの吸収性衛生物品用の吸収性パッドの複合ウェブを製造するための方法であって、前記複合ウェブ（８）中の前記超吸収性ポリマ材料（１０）の濃度を変えるために、前記押出手段（３）の前記供給口（４）に対する前記供給手段（９）の前記出口（１１）の位置を変えるステップを含む、方法。
【請求項９】
前記複合ウェブ（８）が、不織布の前記第１の連続ウェブ（１４）上に作られる、請求項８に記載の方法。
【請求項１０】
不織布の前記第２の連続ウェブ（１６）が前記複合ウェブ（８）上に配置される、請求項８または９に記載の方法。
【請求項１１】
請求項１から７のいずれか１項に記載の装置を使用して製造された少なくとも１つの複合ウェブ（８）を含む吸収性衛生物品。
【請求項１２】
請求項１から７のいずれか１項に記載の装置を使用して製造された少なくとも複合ウェブ（８）であって、不織布の、具体的にはスパンボンドの第１の連続ウェブ（１４）と、不織布の、具体的にはスパンボンドの第２の連続ウェブ（１６）との間に配置された複合ウェブ（８）を含む少なくとも１つの多層ウェブ（１９）を含む吸収性衛生物品。
【請求項１３】
請求項１から７のいずれか１項に記載の装置を使用して作られた複合ウェブ（８）を含むロール。
【請求項１４】
請求項１から７のいずれか１項に記載の装置を使用して作られ且つ不織布の、具体的にはスパンボンドの第１の連続ウェブ（１４）と、不織布の、具体的にはスパンボンドの第２のウェブ（１６）との間に配置された少なくとも複合ウェブ（８）を含む多層ウェブ（１９）を含むロール。
【発明の詳細な説明】
【技術分野】
【０００１】
本発明は、吸収性物品用の吸収性パッドの複合ウェブを形成するための装置に関する。
【０００２】
この装置の複合ウェブは、「メルトブローン」繊維を含むウェブ、すなわち、メルトブローにより得られた少なくとも１つの層を有する複合ウェブである。
【背景技術】
【０００３】
この分野では、メルトブローン繊維の層に供給される超吸収性ポリマ材料粒子の濃度（concentration）を制御する必要性が感じられた。
【発明の概要】
【０００４】
この文脈において、本発明の一態様は、例えばおむつなどの吸収性物品用の吸収性パッドの複合ウェブを形成するための装置を提供することであり、当該装置は、熱可塑性材料を押し出すための押出手段であって、１つ以上のチャネルを備え、各々が熱可塑性材料のフィラメントを供給するためのそれぞれの供給口を有する、押出手段を備える。
【０００５】
超吸収性ポリマ材料を供給するための供給手段は、押出手段から出てくる熱可塑性材料のフィラメントの流れに超吸収性ポリマ材料を供給するための少なくとも１つの出口を有する。
【０００６】
吸引形成面は、押出手段から出て且つ超吸収性ポリマ材料を含む熱可塑性材料のフィラメントを受け入れ、メルトブローン熱可塑性繊維と超吸収性ポリマ材料とを含む複合メルトブローンウェブを作るように構成される。
【０００７】
供給手段の出口は、複合ウェブ内の超吸収性ポリマ材料の濃度を変化させるように、押出手段の供給口に対して少なくとも第１距離から第２距離に、またはその逆に、移動可能であるように構成される。
【図面の簡単な説明】
【０００８】
本発明のさらなる特徴およびその利点は、添付の図面に示されるように、吸収性物品用の吸収性パッドの複合ウェブを形成するための装置の好ましいが非排他的な実施形態の以下の非限定的な説明でより明らかになる。
【図１】本発明による装置の第１の実施形態の概略正面図である。
【図２】本発明による装置の第２の実施形態の概略正面図である。
【発明を実施するための形態】
【０００９】
参照番号１は、本発明による吸収性物品用の吸収性パッドの複合ウェブを形成するための装置を示す。
【００１０】
「吸収性物品」という用語は、子供および／または大人のためのおむつを意味するために使用される。
【００１１】
装置１は、熱可塑性材料を収容するためのタンク２を備える。
【００１２】
非限定的な例として、熱可塑性材料は、ポリプロピレン、ポリエチレン、アクリル樹脂、ポリアミド（例えば、ナイロン）、ポリスチレン、ポリ塩化ビニル（ＰＶＣ）、アクリロニトリルブタジエンスチレン（ＡＢＳ）、ポリカーボネートであり得る。
【００１３】
例えば、ヒドロキシルポリプロピレンなどの実質的に親水性のポリマ材料も使用することができる。
【００１４】
タンク２から供給される熱可塑性材料を押し出すための押出手段３は、各々が熱可塑性材料のフィラメント５を供給するためのそれぞれの供給口４を有する１つ以上のチャネルを含む。
【００１５】
押出手段３は、メルトブローン熱可塑性材料のフィラメント５の流れを生成するように構成される。
【００１６】
加熱され加圧された気体流体の供給源６は、押出手段３の押出ダクトと流体連通している。
【００１７】
超吸収性ポリマ材料１０を供給するための供給手段９は、押出手段３から出てくる熱可塑性材料のフィラメント５の流れに超吸収性ポリマ材料１０を供給するように構成される。
【００１８】
変形実施形態では、超吸収性ポリマ材料１０が押出手段３から出てくる熱可塑性材料のフィラメント５の流れに圧力下で供給されるように、加圧流体源２０が供給手段９に接続される。
【００１９】
吸引形成面７は、押出手段３から出てくる熱可塑性材料のフィラメント５の流れを受け取り、および供給手段９から出てくる超吸収性ポリマ材料１０を受け取り、超吸収性ポリマ材料１０を含むメルトブローン繊維の複合ウェブ８、すなわち複合メルトブローンウェブ８を作るように構成される。
【００２０】
この実施形態では、吸引形成面７は、吸引ローラ１２の軸１２ａを中心に回転する吸引ローラ１２の周面である。
【００２１】
供給手段９には、超吸収性ポリマ材料１０を供給するための少なくとも１つの出口１１が設けられている。
【００２２】
任意選択的に、超吸収性ポリマ材料１０を供給するための供給手段９は、超吸収性ポリマ材料１０を加熱するための手段を備えていてもよい。
【００２３】
供給手段の出口は、メルトブローン複合ウェブ８中の超吸収性ポリマ材料１０の濃度を変えるように、押出手段３の供給口４に対して少なくとも第１距離「ｄ１」から第２距離「ｄ２」に、またはその逆に移動可能であるように構成される。
【００２４】
この距離変化により、メルトブローン複合ウェブ８中の超吸収性ポリマ材料１０の濃度を変えるために、供給手段９の出口１１を押出手段３の供給口４の近くまたは遠くに配置することができる。
【００２５】
より具体的には、供給手段９の出口１１を距離ｄ１で押出手段３の供給口４の近くに配置することにより、熱可塑性材料のフィラメント５の流れにおける超吸収性ポリマ材料１０の濃度は、供給手段９の出口１１が、ｄ１よりも大きい距離ｄ２で、押出手段３の供給口４から遠くに配置される場合よりも、大きくなる。
【００２６】
それは、熱可塑性材料のフィラメント５の流れの温度が、押出手段３の供給口４から複合ウェブ８の形成面７にかけて低下するためである。したがって、超吸収性ポリマ材料１０は、メルトブローン複合ウェブ８の形成面７よりも押出手段３の供給口４に近い場合に、熱可塑性材料のフィラメント５の流れにより多く付着する。
【００２７】
装置１は、メルトブローン複合ウェブ８の供給方向において、形成面７の上流に配置された、好ましくはスパンボンドの不織布の第１の連続ウェブ１４を供給するための第１の供給ユニット１３を含み、これにより、メルトブローン複合ウェブ８は、図２に示されるように、形成面７上に吸引によって保持される第１の連続ウェブ１４上に形成される。
【００２８】
不織布の第１の連続ウェブ１４を供給するための第１の供給ユニット１３の存在は任意である。
【００２９】
図２に示す第２の実施形態では、装置は、メルトブローン複合ウェブ８の供給方向において、形成面７の下流に配置された、好ましくはスパンボンドの不織布の第２の連続ウェブ１６を供給するための第２の供給ユニット１５を含み、これにより、第２の連続ウェブ１６は、形成面７上に作られたメルトブローン複合ウェブ８上に配置される。
【００３０】
不織布の第２の連続ウェブ１６を供給するための第２の供給ユニット１５の存在は任意である。
【００３１】
装置１が第１の供給ユニット１３と第２の供給ユニット１５の両方を含む場合に、メルトブローン複合ウェブ８は、第１の連続ウェブ１４と第２の連続ウェブ１６との間に配置されて連続多層ウェブ１９を画定する。
【００３２】
変形実施形態では、装置１は、湿潤物質１８を供給するための供給手段１７であって、第２の連続ウェブ１６の供給方向において第２の供給ユニット１５の下流に配置される供給手段１７を備える。
【００３３】
そのようにして、湿潤物質１８は第２の連続ウェブ１６に供給される。
【００３４】
代替的に、図示されていない変形例では、湿潤物質１８は、フィラメントの流れが押出手段３から出るときに湿潤物質を含むように、押出手段３に供給される。
【００３５】
図１に示される本発明の第１の実施形態では、超吸収性ポリマ材料１０を含むメルトブローン複合ウェブ８のみが装置１から送り出される。図２に示す本発明の第２の実施形態では、装置１から送り出されるウェブは、不織布の、具体的にはスパンボンドの第１の連続ウェブ１４と、不織布の、具体的にはスパンボンドの第２のウェブ１６との間に配置されたメルトブローン複合ウェブ８を含む多層ウェブ１９である。
【００３６】
メルトブローン複合ウェブ８またはメルトブローン複合ウェブ８を含む多層ウェブ１９は、その後、吸収性物品の吸収性パッドを規定するために各断片に切断されることになる。
【００３７】
メルトブローン複合ウェブ８または多層ウェブ１９は、その後、メルトブローン複合ウェブ８のロールまたは多層ウェブ１９のロールを規定することになる。
【図１】
2020151468.tif 000003
【図２】
2020151468.tif 000004
【外国語明細書】
2020151468000001.pdf